(57)【要約】【課題】挙式に使用したウェディングドレスを常に目に付く形で残し、併せてこれを日常生活の中で有効に使用する。【解決手段】挙式で使用したウェディングドレストレーン３を素材にして、トレーン３のデザインの一部を残しつつ、ベッドスプレッド、カーテン、タペストリーを含む各種室内装飾品２の形状に縫成し、ベッドスプレッド、カーテン、タペストリーなど各種室内装飾品２として使用する。この場合、トレーン３の表面に挙式の日付６１、挙式当事者の名前６２などの挙式に関連する各種の情報６を表示することが好ましい。【選択図】図３
2011179133.tif 000002
【特許請求の範囲】
【請求項１】
挙式に使用するウェディングドレスに付けるトレーン、エプロンを含む装飾品であって、
各種の装飾デザインを施される本体形状部と、
前記本体形状部に付属して装飾品をベッドスプレッド、マルチカバー、カーテン、天蓋カーテン、暖簾、タペストリーを含む各種室内装飾品に形成し直すための付属形状部とを備え、
使用後のウェディングドレスの装飾品を各種室内装飾品に使用するインテリアファブリックスとして再利用する、ことを特徴とするウェディングドレスに付ける装飾品。
【請求項２】
挙式で使用したウェディングドレスの装飾品を素材にして、当該装飾品の装飾デザインの一部を残しつつ、ベッドスプレッド、マルチカバー、カーテン、天蓋カーテン、暖簾、タペストリーを含む各種室内装飾品の形状に形成された、ことを特徴とするウェディングドレスの装飾品を用いたインテリアファブリックス。
【請求項３】
素材にするウェディングドレスの装飾品は、各種の装飾デザインが施された本体形状部と、ベッドスプレッド、マルチカバー、カーテン、天蓋カーテン、暖簾、タペストリーを含む各種室内装飾品に形成し直すための付属形状部とを備える請求項２に記載のウェディングドレスの装飾品を用いたインテリアファブリックス。
【請求項４】
ウェディングドレスの装飾品の表面に挙式の日付、挙式当事者の名前を含む挙式に関連する各種情報を表示する請求項２又は３に記載のウェディングドレスの装飾品を用いたインテリアファブリックス。
【発明の詳細な説明】
【技術分野】
【０００１】
本発明は挙式に使用するウェディングドレスに付けるトレーンやエプロンなどの装飾品、及びウェディングドレスの装飾品を用いたインテリアファブリックスに関する。
【背景技術】
【０００２】
一般に、ベッドスプレッド（ベッドカバーともいう。以下、同じ。）、カーテン、暖簾、カーペット、壁装材、クッション、椅子張り用生地、寝装品など各種の室内装飾品はインテリアファブリックスを使って作られている。インテリアファブリックスとは室内装飾品に使われる布製品、織物、編物（レース）などの総称で、その素材には天然繊維や化学繊維のさまざまな繊維が用いられている。このようなインテリアファブリックスについては例えば特許文献１に開示されている。
【０００３】
また、今日、挙式やこれに伴う披露宴では、新婦がウェディングドレスを着用することが多くなっている。ウェディングドレスは、周囲の人たちに、新婦を美しく清楚にかつ華やかに演出するものであり、さまざまなデザインと装飾が施されている。特に好まれるデザインの一つに、ウェディングドレスにトレーンやエプロンを付けたものがある。図９に示すように、トレーン３はドレスに付けられた引き裾のことで、このトレーン３の裾が後方に尾を引くような形になり、ドレスの豪華さをより引き立たせる。エプロン７はスカートの上に重ねて着用されるもので、ドレスに付けることで、ドレスにキュートなあるいはエレガントなシルエットを作り出す。このようなウェディングドレスを着た新婦の姿は、新郎新婦は勿論のこと、その親族や招待客の多くの人に感動を与えるものになっている。
【０００４】
ところで、これまでは、挙式の際に着用したウェディングドレスを記念に残そうとすると、カメラやビデオカメラなどを使って写真や映像として記録することが一般に行われている。ところが、このような写真や映像では平面的な形でしかなく、ウェディングドレスの実物を例えば手にとって触るなどということはできない。すなわち、実際に本人が着用したウェディングドレスの実物が残らないので、当日にウェディングドレスを身に着けていたときの自分の心境を、本人又は近親者が忠実に回想することができない。そこで、従来においては、結婚式において撮影されたウェディングドレスの写真をもとに、ウェディングドレス及び付属品をそのままの形で縮小し、ミニチュアウェディングドレスを作製することが提案されている。かかるミニチュアウェディングドレスは特許文献２に開示されている。
【先行技術文献】
【特許文献】
【０００５】
【特許文献１】特開２００６−２５７５８６公報
【特許文献２】特開平１１−３４５９８号公報
【発明の概要】
【発明が解決しようとする課題】
【０００６】
上述のとおり、挙式の際に着用したウェディングドレスを記念に残そうとすると、従来は、カメラやビデオカメラなどで撮影したり、ミニチュアウェディングドレスを作製したりしていたが、いずれの場合もウェディングドレスは実物ではないから、実物を手にとって触るなどということはやはりできないし、実物が残らない以上、挙式当日のウェディングドレスを身に着けていたときの感動を思い起こすことは難しい。また、ウェディングドレスの写真や映像、またミニチュアの置物では、日常生活の中で特に有用なものとはなりにくい。
【０００７】
そこで、本願発明者は、挙式に使用したウェディングドレスを常に目に付く形で残し、併せてこれを日常生活の中で有効に利用することを目的として、鋭意研究の結果、ウェディングドレスに付けるトレーンやエプロンなどの装飾品をインテリアファブリックスの素材として利用することで、実物を日常的に見て手にとって触ることができ、これにより挙式当日のウェディングドレスを身に着けていたときの感動を思い起こすことができること、しかも日常生活の中で室内装飾として有効に利用することができることを見出し、本発明を創案するに至った。
【課題を解決するための手段】
【０００８】
上記目的を達成するために、本発明は、挙式に使用するウェディングドレスに付けるトレーン、エプロンを含む装飾品であって、各種の装飾デザインを施される本体形状部と、前記本体形状部に付属して装飾品をベッドスプレッド、マルチカバー、カーテン、天蓋カーテン、暖簾、タペストリーを含む各種室内装飾品に形成し直すための付属形状部とを備え、使用後のウェディングドレスの装飾品を各種室内装飾品に使用するインテリアファブリックスとして再利用する、ことを要旨とする。
この場合、付属形状部は本体形状部に一体に設けられてもよく、また別体に設けられてもよい。また、この場合、装飾品の表面に挙式の日付、挙式当事者の名前を含む挙式に関連する各種情報を表示することが好ましい。
【０００９】
また、本発明は、ウェディングドレスの装飾品を用いたインテリアファブリックスであって、挙式で使用したウェディングドレスの装飾品を素材にして、当該装飾品の装飾デザインの一部を残しつつ、ベッドスプレッド、マルチカバー、カーテン、天蓋カーテン、暖簾、タペストリーを含む各種室内装飾品の形状に形成された、ことを要旨とする。
この場合、素材にするウェディングドレスの装飾品は、各種の装飾デザインが施された本体形状部と、ベッドスプレッド、マルチカバー、カーテン、天蓋カーテン、暖簾、タペストリーを含む各種室内装飾品に形成し直すための付属形状部とを備えることが好ましい。この付属形状部は本体形状部に一体に設けられてもよく、また別体に設けられてもよい。また、この場合、装飾品の表面に挙式の日付、挙式当事者の名前を含む挙式に関連する各種情報を表示することが好ましい。
【発明の効果】
【００１０】
本発明のウェディングドレスに付ける装飾品は、挙式で使用した後、各種の装飾デザインを施された本体形状部と、装飾品をベッドスプレッド、マルチカバー、カーテン、天蓋カーテン、暖簾、タペストリーを含む各種室内装飾品に形成し直すための付属形状部とを合せて、各種室内装飾品に使用するインテリアファブリックスとして形成し、再利用するようにしたので、ウェディングドレスの特に装飾品をベッドスプレッド、マルチカバー、カーテン、天蓋カーテン、暖簾、タペストリーなどの室内装飾品の形に残して、この装飾品の実物を日常的に見て手にとって触ることができ、この視覚、触覚を通じて、挙式当日のウェディングドレスを身に着けていたときの感動を思い起こすことができ、しかも日常生活の中で、ウェディングドレスの装飾品の装飾デザインを生かしたベッドスプレッド、マルチカバー、カーテン、天蓋カーテン、暖簾、タペストリーなどの室内装飾品として有効に使用することができる、という効果を奏する。
【００１１】
本発明のウェディングドレスの装飾品を用いたインテリアファブリックスは、挙式で使用したウェディングドレスの装飾品を素材にして、ベッドスプレッド、マルチカバー、カーテン、天蓋カーテン、暖簾、タペストリーなどの各種室内装飾品の形状に縫成するので、ウェディングドレスの特に装飾品をベッドスプレッド、マルチカバー、カーテン、天蓋カーテン、暖簾、タペストリーなどの室内装飾品の形で残して、この装飾品の実物を日常的に見て手にとって触ることができ、この視覚、触覚を通じて、挙式当日のウェディングドレスを身に着けていたときの感動を思い起こすことができ、しかも日常生活の中で、ウェディングドレスの装飾品の装飾デザインを生かしたベッドスプレッド、マルチカバー、カーテン、天蓋カーテン、暖簾、タペストリーなどの室内装飾品として有効に使用することができる、という効果を奏する。
【図面の簡単な説明】
【００１２】
【図１】本発明の一実施の形態における挙式に使用するウェディングドレストレーンを示す正面図
【図２】図１のトレーンに採用する生地及びその組み合わせを示す概略斜視図
【図３】本発明の一実施の形態における挙式に使用したトレーンを用いたインテリアファブリックスを示す正面図
【図４】図１のトレーンを室内装飾品（この場合、ベッドスプレッド）に縫成するための準備作業を示す図
【図５】図３のインテリアファブリックス（この場合、ベッドスプレッド）の使用例を示す斜視図
【図６】本発明のまた別の実施の形態における挙式に使用するウェディングドレスエプロンを示す斜視図
【図７】図６のウェディングドレスエプロンの展開した状態を示す展開図
【図８】本発明のまた別の実施の形態における挙式に使用したエプロンを用いたインテリアファブリックスを示す正面図
【図９】挙式に使用するウェディングドレスに付けるトレーン及びエプロンの一例を示す斜視図
【発明を実施するための形態】
【００１３】
次に、この発明を実施するための形態について図を用いて説明する。図１に挙式に使用するウェディングドレスに付ける装飾品としてトレーンを示している。図２にこのトレーンに採用する生地及びその組み合わせを概略的に示している。
【００１４】
図１に示すように、このトレーン３は、ウェディングドレスに取り外し可能な着脱式のトレーンで、トレーン本体４と、ウエスト取付部材５とを備えて構成される。トレーン本体４は、通常、上部が幅狭で上部から下部に向けて末広がりの略扇形形状に形成されるところ、このトレーン本体４では、上部が幅広で上部から下部に向けて略長方形に形成され（図３参照）、下部の裾４１ｅ、４１Ｅの各部分が複数の湾曲形状に形成されて、このトレーン本体４の中央に各種の装飾デザインが施されるトレーン本体形状部４０１を、このトレーン本体４の両側にトレーン本体形状部４０１に付属してトレーン３をベッドスプレッド、マルチカバー、カーテン、天蓋カーテン、暖簾、タペストリーを含む各種室内装飾品に形成し直すための付属形状部４０２、４０２をそれぞれ備える。このようにしてこのトレーン３では、トレーン本体形状部４０１と付属形状部４０２とを一体に備えている。また、このトレーン本体４は、図２に示すように、表地４１と、裏地４２とからなる。表地４１はオーガンジー（オーガンジーとは平織で薄手、軽く透けている生地をいう。）の高級素材が採用され、１枚の生地が上下に二つ折りにされ、これら上下の生地４１Ｕ、４１Ｄが上の生地４１Ｕの裾４１ｅから下の生地４１Ｄの裾４１Ｅが突出するように重ねられた２枚重ねに形成される。そして、上の生地４１Ｕの裾４１ｅの縁部は左右対称に２つずつ合計４つの湾曲形状４１ｂ、４１ｂ、４１ｂ、４１ｂが形成されて、各湾曲形状４１ｂ、４１ｂ、４１ｂ、４１ｂ間にそれぞれオーガンジーからなるリボン４１ｒ、４１ｒ、４１ｒが取り付けられ、下の生地４１Ｄの裾４１Ｅの縁部は５つの湾曲形状４１Ｂ、４１Ｂ、４１Ｂ、４１Ｂ、４１Ｂが形成されて、各湾曲形状４１Ｂ、４１Ｂ、４１Ｂ、４１Ｂ、４１Ｂ間にそれぞれオーガンジーからなるリボン４１Ｒ、４１Ｒ、４１Ｒ、４１Ｒが取り付けられる。裏地４２はソフトチュール（チュールとは六角形、菱形の細かい網目模様をした薄手の生地を言い、特に薄手のチュールをソフトチュールと呼ぶ。）が採用され、大きさ、形状共に、概ね表地４１の下の生地４１Ｄに合わせて形成される。また、この裏地（ソフトチュール）４２の裾４２Ｅには表地４１の裾４１ｅ、４１Ｅの一定の範囲に当たる部分にこの裾４１ｅ、４１Ｅの一定の範囲の形状が崩れないようにハードチュール（チュールとは六角形、菱形の細かい網目模様をした薄手の生地を言い、特に厚めの固いチュールをハードチュールと呼ぶ。）からなる型崩れ防止材４３が併せて縫い付けられる。そして、このトレーン本体３の場合、トレーン本体３の表面に挙式の日付、挙式当事者の名前を含む挙式に関連する各種情報６が表示される。この表示はドレーン本体４の要部又は挙式当事者の希望する位置に挙式当事者の希望する書体で入れることが好ましく、この場合、トレーン本体４の裾、特に下の生地４１Ｄの裾４１Ｅの中央に、挙式の日付６１、挙式当事者の名前６２がカリグラフィの筆記体で、また本品の製作元（ブランド）などを表す図柄又は挙式当事者が希望する図柄とともに刺繍が施される。ウエスト取付部材５は、所定の素材、生地により略帯状に形成され、適宜の位置２箇所乃至３箇所に回転ピン５１が取り付けられる。このウエスト取付部材５はトレーン本体４の上部に留められて、このウエスト取付部材５によりトレーン本体４が上部から末広がりの形状を呈する。このようにしてトレーン３が形成され、使用後のこのトレーン３がトレーン本体４中央のトレーン本体形状部４０１と、その両側の付属形状部４０２、４０２とにより、ベッドスプレッド、マルチカバー、カーテン、天蓋カーテン、暖簾、タペストリーを含む各種室内装飾品に使用するインテリアファブリックスとして再利用できるようになっている。
【００１５】
図３にトレーンを用いたインテリアファブリックスを示している。図３に示すように、このインテリアファブリックス１は、挙式で使用したウェディングドレスに付けるトレーンを素材にして、このトレーンの装飾デザインの主要な一部を残しながら、各種の室内装飾品の形状に縫成されるものである。
【００１６】
この実施の形態では、図１のトレーン３をインテリアファブリックス１の素材として用い、室内装飾品２としてベッドスプレッドを縫成する場合を例示している。このトレーン３の場合、図１に各部の寸法を図示したとおり、比較的大きい面積があるので、このトレーン３から、特にクイーンサイズ（ダブルサイズ）のベッドスプレッドを作ることができる。このトレーン３からベッドスプレッドを作る場合、まず、図４に示すように、トレーン本体４の上部からウエスト取付部材５を取り外し、裏地４２のソフトチュールの裾４２Ｅから型崩れ防止材４３のハードチュールを取り外す。次に、トレーン本体４全体をオーガンジーの表地４１を２枚重ねのままで上下左右に展ばし、縫製の準備を行う。そして、図３に示すように、トレーン本体４のデザインの主要な一部、この場合、トレーン本体４の裾４１ｅ、４１Ｅの一定の範囲（上の生地４１Ｕの裾４１ｅの縁部とこの裾４１ｅの縁部から突出する下の生地４１Ｄの裾４１Ｅ、及びリボン４１ｒ、４１Ｒ）を元のデザインのとおりに残し、トレーン本体４の上縁部Ｌ１、左右両側縁部Ｌ２、Ｌ３、下部の各縁部Ｌ４、Ｌ５を縫着する。なお、この場合のベッドスプレッド２１の各部の寸法は図示のとおりである。
【００１７】
このようにして挙式に使用したウェディングドレスのトレーン３は挙式当事者の思い出多き記念日となる挙式の日付６１と挙式当事者２名の名前６２が入った室内装飾品２の形、この場合、図５に示すように、ベッドスプレッド２１の形となって残される。そして、このベッドスプレッド２１は日常的にベッドの装飾品として有効に使用されることになる。
【００１８】
以上説明したように、このウェディングドレストレーン３では、挙式で使用した後、各種のデザインを施されたトレーン本体形状部４０１と、トレーン３をベッドスプレッド２１に形成し直すための付属形状部４０２とを合せて、ベッドスプレッド２１として縫成し再利用するようにしたので、ウェディングドレスの特にトレーン３をベッドスプレッド２１の形に残して、このトレーン３の実物を日常的に見て手にとって触ることができ、この視覚、触覚を通じて、挙式当日のウェディングドレスを身に着けていたときの感動を思い起こすことができ、しかも日常生活の中で、トレーン３のデザインを生かしたベッドスプレッド２１として有効に使用することができる。
【００１９】
また、このトレーンを用いたインテリアファブリックス１では、挙式で使用したウェディングドレストレーン３を素材にして、ベッドスプレッド２１の形状に縫成したので、ウェディングドレスの特にトレーン３をベッドスプレッド２１の形で残して、このトレーン３の実物を日常的に見て手にとって触ることができ、この視覚、触覚を通じて、挙式当日のウェディングドレスを身に着けていたときの感動を思い起こすことができ、しかも日常生活の中でトレーン３のデザインを生かしたベッドスプレッド２１として有効に使用することができる。
【００２０】
なお、この実施の形態では、トレーン本体４のデザイン、生地について説明を行ったが、これは単なる例示にすぎず、トレーン本体４はこのデザイン、生地に限定されるものではない。そもそもトレーンのデザインは無限であり、生地にはさまざまなものが用いられており、トレーン本体４にどのようなデザインが採られていても、またどのような生地が用いられていても、この発明の対象となることは言うまでもない。
また、この実施の形態では、トレーン本体４について付属形状部４０２をトレーン本体形状部４０１に一体に設けたものとして例示したが、この付属形状部４０２をトレーン本体形状部４０１と別体に形成し付属品として設けてもよく、トレーン３をインテリアファブリックス１として縫成する際に、トレーン本体形状部４０１に別体の付属形状部４０１を縫着その他の手段で接続するようにしてもよい。
また、この実施の形態では、トレーン３の表面に挙式の日付、挙式当事者の名前を含む挙式に関連する各種情報６を表示したが、この表示はトレーン３をインテリアファブリックス１として縫成する際に併せて付けるようにしてもよい。この表示は刺繍により付けることがデザイン的にも最適であるが、印刷その他の手段に代えることもできる。
また、この実施の形態では、挙式で使用したウェディングドレストレーン３をベッドスプレッド２１の形状に縫成してベッドスプレッド２１に変えたが、このトレーン３をマルチカバー（ベッドやソファーのカバー、コタツの上掛けなど様々な用途に使用されるカバーを言う。）の形状に縫成することによりマルチカバーに変えることができ、カーテンの形状に縫成することによりカーテンに変えることができ、天蓋カーテン（貴人の寝台や玉座、祭壇、司祭座などの上方に設ける織物の覆いを言う。）の形状に縫成することにより天蓋カーテンに変えることができ、暖簾の形状に縫成することにより暖簾に変えることができ、タペストリーの形状に縫成することによりタペストリーに変えることができるなど、各種の室内装飾品に変えることができ、このようにしてもトレーン３を各種の室内装飾品の形に残して、上記実施の形態と同様の作用効果を得ることができる。
【００２１】
また、ウェディングドレスに付ける装飾品としてはトレーンの他にエプロンをインテリアファブリックスの素材として利用することができる。
図６及び図７にウェディングドレスに付けるエプロンを示している。図６及び図７に示すように、エプロン７は、ウェディングドレスに取り外し可能な着脱式のエプロンとし、エプロン本体７１と、ウエスト取付部材７２とを備えて構成される。エプロン本体７１は、上部が幅広で上部から下部に向けて略長方形に形成され、下部の裾７１ｅの各部分が複数の湾曲形状に形成されるとともにリボンが付けられて、このエプロン本体７１の中央に各種の装飾デザインが施されるエプロン本体形状部７１１を、このエプロン本体７１の両側にエプロン本体形状部７１１に付属してエプロン７をベッドスプレッド、マルチカバー、カーテン、天蓋カーテン、暖簾、タペストリーを含む各種室内装飾品に形成し直すための付属形状部７１２、７１２をそれぞれ備える。そして、このエプロン本体７１の場合、図示を省略するが、エプロン本体７１の表面に挙式の日付、挙式当事者の名前を含む挙式に関連する各種情報が表示される。この表示はエプロン本体の要部又は挙式当事者の希望する位置に挙式当事者の希望する書体で入れることが好ましく、この場合、エプロン本体の表面に、挙式の日付、挙式当事者の名前がカリグラフィの筆記体で、また本品の製作元（ブランド）などを表す図柄又は挙式当事者が希望する図柄とともに刺繍が施される。ウエスト取付部材７２は、所定の素材、生地により略帯状に形成される。このウエスト取付部材７２はエプロン本体７１の上部に留められて、このウエスト取付部材７２によりエプロン本体７１が上部から末広がりの形状を呈する。このようにしてエプロン７が形成され、使用後のこのエプロン７がエプロン本体７１中央のエプロン本体形状部７１１と、その両側の付属形状部７１２、７１２とにより、ベッドスプレッド、マルチカバー、カーテン、天蓋カーテン、暖簾、タペストリーを含む各種室内装飾品に使用するインテリアファブリックスとして再利用できるようになっている。
図８にエプロンを用いたインテリアファブリックスを示している。図８に示すように、このインテリアファブリックス１は、挙式で使用したウェディングドレスに付けるエプロンを素材にして、このエプロンの装飾デザインの主要な一部を残しながら、各種の室内装飾品の形状に縫成されるものである。
この実施の形態では、図６のエプロン７をインテリアファブリックス１の素材として用い、各種の室内装飾品２を縫成する。このエプロン７の場合も、エプロン本体７１の上部からウエスト取付部材７２を取り外し、エプロン本体７１全体を上下左右に展ばし、ベッドスプレッド、マルチカバー、カーテン、天蓋カーテン、暖簾、タペストリーを含む各種の室内装飾品２に縫製する。そして、エプロン本体７１のデザインの主要な一部、この場合、エプロン本体７１の裾７１ｅの部分を元のデザインのとおりに残し、エプロン本体７１の上縁部、左右両側縁部、下縁部を縫着する。なお、この場合のインテリアファブリックス１の各部の寸法は図示のとおりである。
このようにしても既述の実施の形態と同様の作用効果を得ることができる。
【００２２】
なお、この実施の形態のエプロン本体７１のデザインは単なる例示であり、エプロン本体７１はこのデザインに限定されるものではない。エプロン本体７１のデザインもまた無限であり、生地にもさまざまなものが用いられ、エプロン本体７１にどのようなデザインが採られていても、またどのような生地が用いられていても、この発明の対象となることは言うまでもない。
また、エプロン本体７１の付属形状部７１２はエプロン本体形状部７１１に一体に設けられてもまた別体に設けられてもよいことは既述のとおりである。
また、エプロン７の表面の挙式の日付、挙式当事者の名前を含む挙式に関連する各種情報はエプロン７をウェディングドレスに付ける段階で表示してもよく、インテリアファブリックス１として縫成する際に表示するようにしてもよい。この表示は刺繍により付けることがデザイン的にも最適であるが、印刷その他の手段に代えることもできる。
【符号の説明】
【００２３】
１  インテリアファブリックス
２  室内装飾品
２１  ベッドスプレッド
３  トレーン
４  トレーン本体
４０１  トレーン本体形状部
４０２  付属形状部
４１  表地
４１Ｕ  上の生地
４１ｅ  裾
４１ｂ  湾曲形状
４１ｒ  リボン
４１Ｄ  下の生地
４１Ｅ  裾
４１Ｂ  湾曲形状
４１Ｒ  リボン
４２  裏地
４２Ｅ  裾
４３  型崩れ防止材
５  ウエスト取付部材
５１  回転ピン
６  挙式に関連する各種情報
６１  挙式の日付
６２  挙式当事者の名前
７  エプロン
７１  エプロン本体
７１１  エプロン本体形状部
７１２  付属形状部
７２  ウエスト取付部材
【図１】
2011179133.tif 000003
【図２】
2011179133.tif 000004
【図３】
2011179133.tif 000005
【図４】
2011179133.tif 000006
【図５】
2011179133.tif 000007
【図６】
2011179133.tif 000008
【図７】
2011179133.tif 000009
【図８】
2011179133.tif 000010
【図９】
2011179133.tif 000011